(57)【要約】【課題】光ピックアップ装置と制御回路との間の伝送路を削減する。【解決手段】第１波長の第１レーザ光を出射する第１レーザ光源と、前記第１レーザ光の強度を示す第１モニタ信号を出力する第１光検出器と、第２波長の第２レーザ光を出射する第２レーザ光源と、前記第２レーザ光の強度を示す第２モニタ信号を出力する第２光検出器と、前記第１光ディスクに対する情報の記録又は読み出しが行われている場合には前記第１モニタ信号を選択し、前記第２光ディスクに対する情報の記録又は読み出しが行われている場合には前記第２モニタ信号を選択する信号選択部と、前記第１レーザ光及び前記第２レーザ光の強度を制御する制御回路に対して、前記信号選択部により選択された前記第１モニタ信号又は前記第２モニタ信号を、共通の伝送路を介して伝送する信号伝送部と、を備えることを特徴とする光ピックアップ装置。【選択図】図１
2013131284.tif 000002
【特許請求の範囲】
【請求項１】
第１波長の第１レーザ光が適合する第１光ディスクに対して前記第１レーザ光を出射する第１レーザ光源と、
前記第１レーザ光源から出射された前記第１レーザ光の強度を検出し、前記第１レーザ光の強度を示す第１モニタ信号を出力する第１光検出器と、
前記第１波長とは異なる第２波長の第２レーザ光が適合する第２光ディスクに対して前記第２レーザ光を出射する第２レーザ光源と、
前記第２レーザ光源から出射された前記第２レーザ光の強度を検出し、前記第２レーザ光の強度を示す第２モニタ信号を出力する第２光検出器と、
前記第１光ディスクに対して情報の記録又は読み出しが行われている場合には前記第１モニタ信号を選択し、前記第２光ディスクに対して情報の記録又は読み出しが行われている場合には前記第２モニタ信号を選択する信号選択部と、
前記第１レーザ光源から出射される前記第１レーザ光及び前記第２レーザ光源から出射される前記第２レーザ光の強度を制御する制御回路に対して、前記信号選択部により選択された前記第１モニタ信号又は前記第２モニタ信号を、共通の伝送路を介して伝送する信号伝送部と、
を備えることを特徴とする光ピックアップ装置。
【請求項２】
請求項１に記載の光ピックアップ装置であって、
前記第２光検出器から出力される前記第２モニタ信号の電流の最大値と最小値との間のレンジを、前記第１モニタ信号の電流の最大値と最小値との間のレンジに合わせるために、前記第２モニタ信号を所定の増幅率で増幅するレベル調整部を更に備え、
前記信号選択部は、前記第１光ディスクに対して情報の記録又は読み出しが行われている場合には前記第１光検出器から出力される前記第１モニタ信号を選択し、前記第２光ディスクに対して情報の記録又は読み出しが行われている場合には前記レベル調整部により増幅された前記第２モニタ信号を選択する
ことを特徴とする光ピックアップ装置。
【請求項３】
請求項１または２に記載の光ピックアップ装置であって、
前記信号選択部により選択された前記第１モニタ信号又は前記第２モニタ信号を所定の増幅率で増幅する信号増幅部を更に備え、
前記信号伝送部は、前記信号増幅部により増幅された前記第１モニタ信号又は前記第２モニタ信号を前記共通の伝送路を介して前記制御回路に伝送する
ことを特徴とする光ピックアップ装置。
【請求項４】
請求項３に記載の光ピックアップ装置であって、
前記信号増幅部は、前記信号選択部により選択された前記第１モニタ信号又は前記第２モニタ信号を第１増幅率で増幅する第１増幅部と、前記第１増幅部により増幅された前記第１モニタ信号又は前記第２モニタ信号をさらに第２増幅率で増幅する第２増幅部と、を有する
ことを特徴とする光ピックアップ装置。
【請求項５】
請求項１〜４のいずれか１項に記載の光ピックアップ装置であって、
前記制御回路に伝送される前記第１モニタ信号又は前記第２モニタ信号を、非反転信号及び反転信号からなる差動信号に変換する差動信号変換部を更に備え、
前記共通の伝送路は、第１伝送路と第２伝送路とを有し、
前記信号伝送部は、前記非反転信号を前記第１伝送路を介して前記制御回路に伝送し、前記反転信号を前記第２伝送路を介して前記制御回路に伝送する
ことを特徴とする光ピックアップ装置。
【請求項６】
請求項１〜５のいずれか１項に記載の光ピックアップ装置であって、
前記第１光ディスクに対して出射された前記第１レーザ光の一部を第１モニタ光として分離するビームスプリッタを更に備え、
前記第１光検出器は、前記第１モニタ光の強度を検出することにより、前記第１レーザ光の強度を示す前記第１モニタ信号を出力し、
前記第２レーザ光源は、前記第２レーザ光を、前記第２光ディスクに向かう第１方向に出射すると共に、前記第１方向とは異なる第２方向に向けて第２モニタ光として出射し、
前記第２光検出器は、前記第２モニタ光の強度を検出することにより、前記第２レーザ光の強度を示す前記第２モニタ信号を出力する
ことを特徴とする光ピックアップ装置。
【請求項７】
第１波長の第１レーザ光が適合する第１光ディスクに対して前記第１レーザ光を出射する第１レーザ光源と、
第１光ディスクに向けて前記第１レーザ光源から出射された前記第１レーザ光の強度を検出し、前記第１レーザ光の強度を示す第１モニタ信号を出力する第１光検出器と、
前記第１光検出器を内蔵すると共に、前記第１光検出器から出力される第１モニタ信号を増幅して検出信号として出力するレーザ出力検出回路と、
前記第１波長とは異なる第２波長の第２レーザ光が適合する第２光ディスクに対して前記第２レーザ光を出射する第２レーザ光源と、
前記第２レーザ光源と同一のパッケージ内に収納され、第２光ディスクとは逆方向に向けて前記第２レーザ光源から出射された第２レーザ光の強度を検出し、前記第２レーザ光の強度を示す第２モニタ信号を出力する第２光検出器とを備え、
前記第２光検出器から出力される第２モニタ信号を前記レーザ出力検出回路に供給し、前記第２モニタ信号を前記レーザ出力検出回路を経由して検出信号として出力する
ことを特徴とする光ピックアップ装置。
【発明の詳細な説明】
【技術分野】
【０００１】
本発明は、光ディスクに対する信号の記録や読み出しを行う光ピックアップ装置に関する。
【背景技術】
【０００２】
光ディスクの信号記録層にレーザ光を集光することによって、信号の読み出しや記録を行うことが出来る光ピックアップ装置が開発されている。
【０００３】
ＤＶＤ(Digital Versatile Disc)規格の光ディスクに対する信号の読み出しや記録を行う際のレーザ光としては、波長が例えば６５０ｎｍの赤色光が使用され、ＣＤ（Compact Disc）規格の光ディスクに対する信号の読み出しや記録を行う際のレーザ光としては、波長が例えば７８０ｎｍである赤外光が使用されている。
【０００４】
斯かるＣＤ規格やＤＶＤ規格の光ディスクに対して、Ｂｌｕ−ｒａｙ（登録商標、以下同様）規格の光ディスクに対する信号の読み出しや記録を行う際のレーザ光としては、波長が例えば４０５ｎｍの青紫色光が使用されている。
【０００５】
そして、このようなＤＶＤ、ＣＤ及びＢｌｕ−ｒａｙのいずれの光ディスクに対しても情報の記録や読み出しが可能な光ピックアップ装置が開発されている（例えば特許文献１参照）。
【先行技術文献】
【特許文献】
【０００６】
【特許文献１】特開２００６−１２０３０６号公報
【発明の概要】
【発明が解決しようとする課題】
【０００７】
このような光ピックアップ装置は、各レーザ光の強度の違い等から、ＤＶＤ用及びＣＤ用のレーザ光を選択的に出射可能な第１レーザユニットと、Ｂｌｕ−ｒａｙ用レーザ光を出射可能な第２レーザユニットと、を個別に備えて構成される。このような構成において、各レーザ光の強度は以下のように制御される。
【０００８】
まず、ＤＶＤ用レーザ光及びＣＤ用レーザ光の場合は、第１レーザユニットから光ディスクに向けて出射されたレーザ光のうち一部が分離され、ＤＶＤ及びＣＤ用の光検出器に導かれる。この光検出器においてレーザ光が検出されると、この光検出器から、検出強度に応じたモニタ信号が出力される。そしてこのモニタ信号が光ピックアップ装置の制御回路に入力される。この制御回路は、モニタ信号に応じて、第１レーザユニットから出射されるレーザ光の強度が所定の目標値になるように、第１レーザユニットの駆動回路に対して制御信号を出力する。そして第１レーザユニットは、この駆動回路から出力される駆動信号に応じた強度のレーザ光を出射する。このようにして、第１レーザユニットから出射されるレーザ光の強度が制御される。
【０００９】
またＢｌｕ−ｒａｙ用レーザ光の場合は、第２レーザユニットから光ディスクに向けて出射されたレーザ光のうち一部が分離され、Ｂｌｕ−ｒａｙ用の光検出器に導かれる。この光検出器においてレーザ光が検出されると、この光検出器から、検出強度に応じたモニタ信号が出力される。そしてこのモニタ信号が光ピックアップ装置の制御回路に入力される。この制御回路は、モニタ信号に応じて、第２レーザユニットから出射されるレーザ光
の強度が所定の目標値になるように、第２レーザユニットの駆動回路に対して制御信号を出力する。そして第２レーザユニットはこの駆動回路から出力される駆動信号に応じた強度のレーザ光を出射する。このようにして、第２レーザユニットから出射されるＢｌｕ−ｒａｙ用レーザ光の強度が制御される。
【００１０】
上記のように、ＤＶＤ、ＣＤ及びＢｌｕ−ｒａｙのいずれの光ディスクに対しても情報の記録や読み出しが可能な光ピックアップ装置の場合は、光ピックアップ装置から制御回路に対して、第１レーザユニットから出射されたレーザ光の検出強度を示すモニタ信号に加え、第２レーザユニットから出射されたレーザ光の検出強度を示すモニタ信号が送信される。
【００１１】
光ピックアップ装置から制御回路、及び制御回路から光ピックアップ装置への各種信号の伝達は、コネクタにより電気的に接続される伝送路を介して行われるが、このコネクタに接続可能な伝送路の数はコネクタのピン数による制約を受ける。
【００１２】
従って、光ピックアップ装置と制御装置との間で授受しなければならない信号の数の増加に合わせ伝送路の数が増加し、コネクタのピン数が不足する場合には、よりピン数の多い大型のコネクタを使用しなければならなくなる。
【００１３】
そのため、光ピックアップ装置と制御回路との間の伝送路の数を削減する技術が求められている。
【００１４】
本発明は上記課題を鑑みてなされたものであり、光ピックアップ装置と制御回路との間の伝送路を削減することを一つの目的とする。
【課題を解決するための手段】
【００１５】
一つの側面に係る光ピックアップ装置は、第１波長の第１レーザ光により情報の記録及び読み出しを行うことが規定されている第１光ディスクに対して前記第１レーザ光を出射する第１レーザ光源と、前記第１レーザ光源から出射された前記第１レーザ光の強度を検出し、前記第１レーザ光の強度を示す第１モニタ信号を出力する第１フォトセンサと、前記第１波長とは異なる第２波長の第２レーザ光により情報の記録及び読み出しを行うことが規定されている第２光ディスクに対して前記第２レーザ光を出射する第２レーザ光源と、前記第２レーザ光源から出射された前記第２レーザ光の強度を検出し、前記第２レーザ光の強度を示す第２モニタ信号を出力する第２フォトセンサと、前記第１光ディスクに対する情報の記録又は読み出しが行われている場合には前記第１モニタ信号を選択し、前記第２光ディスクに対する情報の記録又は読み出しが行われている場合には前記第２モニタ信号を選択する信号選択部と、前記第１レーザ光源から出射される前記第１レーザ光及び前記第２レーザ光源から出射される前記第２レーザ光の強度を制御する制御回路に対して、前記信号選択部により選択された前記第１モニタ信号又は前記第２モニタ信号を、共通の伝送路を介して伝送する信号伝送部と、を備える。
【００１６】
その他、本願が開示する課題、及びその解決方法は、発明を実施するための形態の欄の記載、及び図面の記載等により明らかにされる。
【発明の効果】
【００１７】
光ピックアップ装置と制御回路との間の伝送路を削減することができる。
【図面の簡単な説明】
【００１８】
【図１】本実施形態の光ピックアップ装置の全体構成図である。
【図２】本実施形態のレーザ出力検出回路の構成図である。
【図３】本実施形態のレーザ出力検出回路からの出力信号の波形を説明するための図である。
【発明を実施するための形態】
【００１９】
本明細書および添付図面の記載により、少なくとも以下の事項が明らかとなる。
【００２０】
図１から図３を参照しつつ、本実施形態の光ピックアップ装置５００の構成例について説明する。図１は、本実施形態の光ピックアップ装置５００、及び光ピックアップ装置５００の各構成要素を制御する制御回路２５０を示す図である。図２は、本実施形態のレーザ出力検出回路３００の構成図である。図３は、本実施形態のレーザ出力検出回路３００からの出力信号の波形を説明するための図である。
【００２１】
本実施形態の光ピックアップ装置５００は、一例として、ＤＶＤ、ＣＤ及びＢｌｕ−ｌａｙの各光ディスク４００に対する信号の読み出しや記録を行うことが可能であり、ＤＶＤ及びＣＤに対して記録再生機能を有し、Ｂｌｕ−ｒａｙ対して再生機能を有する構成となっている。
＝＝ＤＶＤ又はＣＤの記録再生＝＝
ＤＶＤあるいはＣＤ規格の光ディスク４１０に対する記録再生は、以下のように行われる。ここで光ディスク４１０は、ＤＶＤ又はＣＤのいずれかの規格に準拠した光ディスクであり、説明の簡単化のため、ＤＶＤ又はＣＤのいずれかの規格に準拠した光ディスクをまとめて光ディスク４１０として記載している。
【００２２】
また以下の説明においては、光ディスク４１０がＤＶＤである場合を念頭に説明するが、ＣＤである場合も同様である。
【００２３】
図１において、第１レーザ光発生装置１０は、例えば波長が６５０ｎｍの赤色光であるＤＶＤ用のレーザ光と、波長が７８０ｎｍの赤外光であるＣＤ用のレーザ光と、のいずれか一方のレーザ光（第１レーザ光）を選択的に放射可能なマルチレーザユニットである。第１レーザ光発生装置１０には、ＤＶＤ用のレーザ光を発光するＤＶＤ用レーザダイオード１１と、ＣＤ用のレーザ光を発光するＣＤ用レーザダイオード１２とが組み込まれている。
【００２４】
ＤＶＤ用レーザダイオード１１は、ＤＶＤ用のレーザ光をＤＶＤ規格の光ディスク４１０に向けて前方に放射する。ＤＶＤ用レーザダイオード１１は、第１レーザダイオード駆動回路２００から供給される駆動信号に応じた強度のＤＶＤ用のレーザ光を放射するように構成されている。
【００２５】
また、ＣＤ用レーザダイオード１２は、ＣＤ用のレーザ光をＣＤ規格の光ディスク４１０に向けて前方に放射する。ＣＤ用レーザダイオード１２は、第１レーザダイオード駆動回路２００から供給される駆動信号に応じた強度のＣＤ用のレーザ光を放射するように構成されている。
【００２６】
回折格子３０は、回折格子部３１と１／２波長板３２とにより構成されている。
【００２７】
回折格子部３１は、第１レーザ光発生装置１０から光ディスク４１０に向けて前方に放射されたＤＶＤ用あるいはＣＤ用のレーザ光（第１レーザ光）が入射されると、レーザ光を、０次光であるメインビーム、＋１次回折光及び−１次回折光である２つのサブビームに分離する。１／２波長板３２は、入射したレーザ光を、例えばＳ方向の直線偏光光に変換する。
【００２８】
偏光ビームスプリッタ６０は、回折格子３０を透過したレーザ光が入射され、制御膜６１によって、波長が６５０ｎｍの赤色光や波長が７８０ｎｍである赤外光に対しては、Ｓ偏光のレーザ光は一部（たとえば９０％あるいは９０％以上）を透過させ、残りの一部（例えば１０％あるいは１０％以下）を反射する。また、Ｐ偏光のレーザ光は反射する。
【００２９】
偏光ビームスプリッタ６０を通過した一部のレーザ光はコリメートレンズ８０に導かれ、偏光ビームスプリッタ６０を反射した残りの一部のレーザ光は第１モニタ光としてレーザ出力検出回路３００に備えるフロントモニタダイオード７０に導かれる。
【００３０】
偏光ビームスプリッタ６０を反射してフロントモニタダイオード７０に導かれる第１モニタ光の強度は、第１レーザ光発生装置１０から光ディスク４１０に向けて放射されるレーザ光の出力レベルに応じて変化することになる。
【００３１】
レーザ出力検出回路３００は、詳細は後述するが、フロントモニタダイオード７０に導かれる第１モニタ光を受光し、受光した第１モニタ光の強度を示す第１モニタ信号を生成する。そしてレーザ出力検出回路３００は、前記フロントモニタダイオード７０により生成される第１モニタ信号を所定の増幅率で増幅した後、検出信号として出力する。またレーザ出力検出回路３００は、コネクタ２６０により接続される伝送路Ｄ１、Ｄ２を介して、光ディスクドライブ内に備える光ピックアップ装置５００の制御回路２５０に接続されており、この伝送路Ｄ１、Ｄ２を介して検出信号を制御回路２５０に伝送する。レーザ出力検出回路３００から制御回路２５０に出力される検出信号は、２本の伝送路Ｄ１、Ｄ２により、差動信号として出力される。
【００３２】
制御回路２５０は、この検出信号に基づいて、第１レーザ光発生装置１０から放射されるレーザ光の強度が所定の目標値になるように、第１レーザダイオード駆動回路２００に制御信号を出力する。
【００３３】
第１レーザダイオード駆動回路２００は、制御回路２５０から出力される制御信号に応じて第１レーザ光発生装置１０に対して駆動信号を出力する。そして第１レーザ光発生装置１０は、第１レーザダイオード駆動回路２００から出力される駆動信号に従った強度のレーザ光を出力する。
【００３４】
このようにして、第１レーザ光発生装置１０から放射されるＤＶＤ用のレーザ光及びＣＤ用のレーザ光の出力が目標値になるように制御するレーザサーボ動作を行うことが出来る。
【００３５】
コリメートレンズ８０は、偏光ビームスプリッタ６０からのレーザ光を平行光に変換する。コリメートレンズ８０は、収差補正用モータ１４０によって光軸方向へ変位せしめられるように構成されている。コリメートレンズ８０の光軸方向への変位動作によって、光ディスク４００の保護層の厚さ等に起因して生じる球面収差を補正するように構成されている。
【００３６】
１／４波長板９０は、コリメートレンズ８０によって平行光に変換されたレーザ光が入射される位置に設けられており、入射されるレーザ光を直線偏光光から円偏光光に、また反対に円偏光光から直線偏光光に変換する作用を成すものである。
【００３７】
第１立ち上げミラー１０１は、表面に波長選択性の制御膜が成膜されたハーフミラーであり、波長が４０５ｎｍの青紫色光は透過させ、波長が６５０ｎｍの赤色光や波長が７８０ｎｍである赤外光は第１対物レンズ１１１方向に反射する。
【００３８】
斯かる構成において、第１レーザ光発生装置１０から放射された波長が６５０ｎｍの赤色のＤＶＤ用レーザ光あるいは波長が７８０ｎｍの赤外のＣＤ用のレーザ光は、回折格子３０、偏光ビームスプリッタ６０、コリメートレンズ８０、１／４波長板９０、第１立ち上げミラー１０１を介して第１対物レンズ１１１に入射された後、第１対物レンズ１１１の集光動作によって、ＤＶＤ又はＣＤ規格の光ディスク４１０の信号記録層Ｌ１にスポットとして照射される。
【００３９】
光ディスク４１０の信号記録層Ｌ１から反射された戻り光は、第１対物レンズ１１１、第１立ち上げミラー１０１、１／４波長板９０、コリメートレンズ８０を通して偏光ビームスプリッタ６０の制御膜６１に入射される。
【００４０】
偏光ビームスプリッタ６０の制御膜６１は波長選択性をもち、波長が６５０ｎｍの赤色光や波長が７８０ｎｍである赤外光に対しては、Ｐ偏光光を反射する。偏光ビームスプリッタ６０に入射した戻り光は、１／４波長板９０を往復することによりＳ偏光からＰ偏光に変換されているので、偏光ビームスプリッタ６０の制御膜６１で反射され、ハーフミラー５０に入射される。
【００４１】
ハーフミラー５０はＰ偏光を透過させるので、ハーフミラー５０に入射された戻り光はハーフミラー５０を透過する。
【００４２】
ハーフミラー５０を透過したレーザ光は、フォーカシング制御に用いられる非点収差を付与するように傾けて配置されたＡＳ板１２０を透過して光検出器１３０に導かれる。
【００４３】
光検出器１３０には、周知の４分割センサ等が設けられている。光検出器１３０は、レーザ光の戻り光を検出した４分割センサからの出力信号を、トラッキングエラー信号生成回路２２０、フォーカスエラー信号生成回路２３０、ＲＦ信号生成回路２４０に出力する。
【００４４】
トラッキングエラー信号生成回路２２０は、トラッキング制御を行うためのトラッキングエラー信号を生成し、コネクタ２６０を介して接続されている制御回路２５０に出力する。  
【００４５】
フォーカスエラー信号生成回路２３０は、非点収差法によるフォーカシング制御を行うためのフォーカスエラー信号を生成し、コネクタ２６０を介して接続されている制御回路２５０に出力する。  
【００４６】
ＲＦ信号生成回路２４０は、光ディスク４１０の信号記録層Ｌ１に記録されている信号の読み取りに伴うＲＦ信号を生成し、コネクタ２６０を介して接続されている制御回路２５０に出力する。  
【００４７】
斯かる各種の信号生成のための制御動作は周知であるので、その説明は省略する。
【００４８】
ところで、第１対物レンズ１１１は、第２対物レンズ１１２と共に、レンズ保持枠１１０に固定されている。
【００４９】
レンズ保持枠１１０は、光ピックアップ装置の基台（不図示）に例えば４本または６本の支持ワイヤーによって支持されており、フォーカシングコイル１５０及びトラッキングコイル１６０によって、それぞれ、光ディスク４１０の信号記録層Ｌ１に対して垂直方向（フォーカシング方向）、及び光ディスク４１０の径方向（トラッキング方向）へ変位される。
【００５０】
フォーカシングコイル１５０は、基台に固定されている磁石との協働によってレンズ保持枠１１０をフォーカシング方向へ変位させる。  
【００５１】
フォーカシングコイル駆動回路１９０は、コネクタ２６０を介して制御回路２５０と接続されており、フォーカスエラー信号生成回路２３０から出力されるフォーカスエラー信号に基づいて制御回路２５０から出力されるフォーカス制御信号が入力され、フォーカシングコイル１５０に駆動信号を供給するように構成されている。
【００５２】
トラッキングコイル１６０は、基台に固定されている磁石との協働によってレンズ保持枠１１０をトラッキング方向へ変位させる。  
【００５３】
トラッキングコイル駆動回路１８０は、コネクタ２６０を介して制御回路２５０と接続されており、トラッキングエラー信号生成回路２２０から出力されるトラッキングエラー信号に基づいて制御回路２５０から出力されるトラッキング制御信号が入力され、トラッキングコイル１６０に駆動信号を供給するように構成されている。
【００５４】
フォーカシングコイル１５０及びトラッキングコイル１６０が組み込まれた光ピックアップ装置５００におけるフォーカシング制御及びトラッキング制御は周知であるので、その説明は省略する。
【００５５】
収差補正用モータ駆動回路１７０は、コネクタ２６０を介して制御回路２５０と接続されており、制御回路２５０から出力される収差補正制御信号に応じて、収差補正用モータ１４０に駆動信号を出力し、コリメートレンズ８０を光軸方向へ変位させる。
【００５６】
制御回路２５０は、光ピックアップ装置５００の各構成要素とコネクタ２６０を介して接続されており、レーザ出力検出回路３００やトラッキングエラー信号生成回路２２０、フォーカスエラー信号生成回路２３０、ＲＦ信号生成回路２４０からそれぞれ出力される各種の信号が入力されると、これらの各信号に基づいて、第１レーザダイオード駆動回路２００、収差補正用モータ駆動回路１７０、トラッキングコイル駆動回路１８０、フォーカシングコイル駆動回路１９０に対して、制御信号を出力する。  尚、図１の本実施形態において、収差補正用モータ駆動回路１７０、トラッキングコイル駆動回路１８０及びフォーカシングコイル駆動回路１９０の各駆動回路と、トラッキングエラー信号生成回路２２０、フォーカスエラー信号生成回路２３０及びＲＦ信号生成回路２４０の各信号生成回路とが、光ピックアップ装置５００内に備えられる構成となっているが、光ピックアップ装置５００の簡略化及び制御回路２５０の機能に基づいて各駆動回路の全てと各信号生成回路の全て、あるいは一部を光ピックアップ装置５００から外して制御回路２５０内に備える構成としても良く、このような構成も合理的で好ましい。
＝＝Ｂｌｕ−ｌａｙの再生＝＝
Ｂｌｕ−ｌａｙ規格の光ディスク４２０に対する再生は、以下のように行われる。
【００５７】
第２レーザ光発生装置２０は、例えば波長が４０５ｎｍの青紫色光であるＢｌｕ−ｌａｙ用のレーザ光（第２レーザ光）を放射する。第２レーザ光発生装置２０には、Ｂｌｕ−ｒａｙ用レーザダイオード２１と、バックモニタ用光検出器２２と、が組み込まれている。
【００５８】
Ｂｌｕ−ｒａｙ用レーザダイオード２１は、Ｂｌｕ−ｌａｙ規格に対応したレーザ光（第２レーザ光）を、光ディスク４２０に向かう第１方向に放射すると共に、第１方向とは異なる第２方向に第２モニタ光として放射する。第２レーザ光発生装置２０は、第２レーザダイオード駆動回路２１０から供給される駆動信号に応じた強度のレーザ光を放射する
ように構成されている。
【００５９】
バックモニタ用光検出器２２は、Ｂｌｕ−ｒａｙ用レーザダイオード２１から第２方向に向けて放射された第２モニタ光が照射される位置に設けられるフォトセンサであり、受光した第２モニタ光の強度を示す第２モニタ信号を出力する。また本実施形態に係る光ピックアップ装置５００は、バックモニタ用光検出器２２から出力される第２モニタ信号を、制御回路２５０に対してではなく、レーザ出力検出回路３００に対して入力するように構成されている。
【００６０】
レーザ出力検出回路３００に入力された第２モニタ信号は、Ｂｌｕ−ｒａｙ用レーザダイオード２１から放射されるレーザ光の出力レベルに応じて変化することになる。
【００６１】
レーザ出力検出回路３００は、レーザ出力検出回路３００に入力された第２モニタ信号を所定の増幅率で増幅した後、検出信号として出力する。この検出信号はコネクタ２６０を介して接続されている制御回路２５０に出力される。詳細は後述するが、レーザ出力検出回路３００から制御回路２５０に出力される検出信号は、２本の伝送路Ｄ１、Ｄ２を介して、差動信号として出力される。
【００６２】
制御回路２５０は、この検出信号に基づいて、Ｂｌｕ−ｒａｙ用レーザダイオード２１から放射されるレーザ光（第２レーザ光）の強度が所定の目標値になるように、第２レーザダイオード駆動回路２１０に制御信号を出力する。
【００６３】
第２レーザダイオード駆動回路２１０は、制御回路２５０から出力される制御信号に応じて第２レーザ光発生装置２０に対して駆動信号を出力する。そしてＢｌｕ−ｒａｙ用レーザダイオード２１は、第２レーザダイオード駆動回路２１０から出力される駆動信号に従った強度のレーザ光を出力する。
【００６４】
このようにして、Ｂｌｕ−ｒａｙ用レーザダイオード２１から放射されるレーザ光の出力が目標値になるように制御するレーザサーボ動作を行うことが出来る。
【００６５】
回折格子４０は、回折格子部４１と１／２波長板４２とにより構成されている。  
【００６６】
回折格子部４１は、Ｂｌｕ−ｒａｙ用レーザダイオード２１から光ディスク４２０に向けて放射されたレーザ光が入射されると、レーザ光を、０次光であるメインビーム、＋１次回折光及び−１次回折光である２つのサブビームに分離する。１／２波長板４２は、入射したレーザ光を、偏光ビームスプリッタ６０に対してＳ方向の直線偏光光となるようにＢｌｕ−ｒａｙ用レーザダイオード２１から放射されたレーザ光の直線偏光光の向きを変更する。
【００６７】
ハーフミラー５０は、一部のレーザ光、例えば５０％のレーザ光を反射し、一部のレーザ光、例えば５０％のレーザ光を透過させる。
【００６８】
偏光ビームスプリッタ６０は、ハーフミラー５０を反射したレーザ光が入射され、波長選択性の制御膜６１によって、波長が４０５ｎｍの青紫色光のレーザ光を反射する。
【００６９】
コリメートレンズ８０は、偏光ビームスプリッタ６０からのレーザ光を平行光に変換する。コリメートレンズ８０は、収差補正用モータ１４０によって光軸方向へ変位せしめられるように構成されている。コリメートレンズ８０の光軸方向への変位動作によって、光ディスク４００の保護層の厚さ等に起因して生じる球面収差を補正するように構成されている。
【００７０】
１／４波長板９０は、コリメートレンズ８０によって平行光に変換されたレーザ光が入射される位置に設けられており、入射されるレーザ光を直線偏光光から円偏光光に、また反対に円偏光光から直線偏光光に変換する作用を成すものである。
【００７１】
第１立ち上げミラー１０１は、表面に波長選択性の制御膜が成膜されたハーフミラーであり、波長が４０５ｎｍの青紫色光は透過させ、波長が６５０ｎｍの赤色光や波長が７８０ｎｍである赤外光は第１対物レンズ１１１方向に反射する。
【００７２】
第２立ち上げミラー１０２は、第１立ち上げミラー１０１を透過した青紫色光のレーザ光が入射される位置に設けられており、入射されるレーザ光を第２対物レンズ１１２方向に反射させる。
【００７３】
斯かる構成において、Ｂｌｕ−ｒａｙ用レーザダイオード２１から放射された波長が４０５ｎｍの青紫色のレーザ光は、回折格子４０、ハーフミラー５０、偏光ビームスプリッタ６０、コリメートレンズ８０、１／４波長板９０、第１立ち上げミラー１０１、第２立ち上げミラー１０２を介して第２対物レンズ１１２に入射された後、第２対物レンズ１１２の集光動作によって、Ｂｌｕ−ｌａｙ規格の光ディスク４２０の信号記録層Ｌ２にスポットとして照射される。
【００７４】
光ディスク４２０の信号記録層Ｌ２から反射された戻り光は、第２対物レンズ１１２、第２立ち上げミラー１０２、第１立ち上げミラー１０１、１／４波長板９０、コリメートレンズ８０を通して偏光ビームスプリッタ６０の制御膜６１に入射される。
【００７５】
偏光ビームスプリッタ６０の制御膜６１は波長選択性をもち、波長が４０５ｎｍの青紫色光は反射され、ハーフミラー５０に入射される。  
【００７６】
ハーフミラー５０に入射されるレーザ光は、１／４波長板９０を往復することにより、Ｓ偏光からＰ偏光に変換されているので、ハーフミラー５０を透過する。  
【００７７】
ハーフミラー５０を透過したレーザ光は、フォーカシング制御に用いられる非点収差を付与するように傾けて配置されたＡＳ板１２０を透過して光検出器１３０に導かれる。
【００７８】
以下、ＤＶＤやＣＤの場合と同様に、光検出器１３０に設けられている４分割センサからの出力信号が、トラッキングエラー信号生成回路２２０、フォーカスエラー信号生成回路２３０、ＲＦ信号生成回路２４０に出力される。
【００７９】
そして、トラッキングエラー信号生成回路２２０からはトラッキングエラー信号が制御回路２５０に出力され、フォーカスエラー信号生成回路２３０からはフォーカスエラー信号が制御回路２５０に出力され、ＲＦ信号生成回路２４０からはＲＦ信号が制御回路２５０に出力される。
【００８０】
そして、制御回路２５０からは、フォーカシングコイル駆動回路１９０、トラッキングコイル駆動回路１８０、収差補正用モータ駆動回路１７０、第２レーザダイオード駆動回路２１０に対して、それぞれ制御信号が出力される。
＝＝レーザ出力検出回路＝＝
次に、本実施形態に係るレーザ出力検出回路３００について、図２及び図３を参照しながら説明する。
【００８１】
レーザ出力検出回路３００は、図２に示すように、フロントモニタ用光検出器３３０、
レベル調整部３１０、モニタ信号選択部３２０、信号増幅部３４０、信号出力部（信号伝送部、差動信号変換部）３５０、シリアルＩ／Ｆ３４３を有して構成される。
【００８２】
フロントモニタ用光検出器３３０は、第１レーザ光発生装置１０から光ディスク４１０に向けて出射されたＤＶＤ規格あるいはＣＤ規格のレーザ光（第１レーザ光）のうち、偏光ビームスプリッタ６０を反射して導かれる第１モニタ光を受光するフォトセンサであるフロントモニタダイオード７０に相当する。フロントモニタ用光検出器３３０は、受光した第１モニタ光の強度に応じた電流値を有する第１モニタ信号を出力する。
【００８３】
レベル調整部３１０は、バックモニタ用光検出器２２から出力される第２モニタ信号の電流の最大値と最小値との間のレンジを、フロントモニタ用光検出器３３０から出力される第１モニタ信号の電流の最大値と最小値との間のレンジに合わせるために、第２モニタ信号を増幅する。
【００８４】
バックモニタ用光検出器２２から出力される第２モニタ信号の電流のレンジは、必要なリニアリティ範囲を確保した場合にフロントモニタ用光検出器３３０から出力される第１モニタ信号の電流のレンジに比べて低くなるため、レベル調整部３１０は、バックモニタ用光検出器２２から出力される第２モニタ信号の電流を増幅することにより、この第２モニタ信号の電流のレンジを、フロントモニタ用光検出器３３０から出力されるＤＶＤ規格やＣＤ規格のレーザ光の強度に応じた第１モニタ信号のレンジに合わせるようにしている。
【００８５】
このようにすることにより、レーザ出力検出回路３００に内蔵のフロントモニタ用光検出器３３０から出力される第１モニタ信号及びレーザ出力検出回路３００の外部のバックモニタ用光検出器２２から出力される第２モニタ信号の受信回路を共通化することが可能となる。
【００８６】
モニタ信号選択部３２０は、光ディスクドライブがＤＶＤあるいはＣＤに対する情報の記録あるいは再生を行う動作状態になり、制御回路２５０からその光ディスクドライブの動作状態を示す識別信号がシリアル信号により送信されると、フロントモニタ用光検出器３３０からの第１モニタ信号を選択し、光ディスクドライブがＢｌｕ−ｒａｙに対する情報の再生を行う動作状態になり、制御回路２５０からその光ディスクドライブの動作状態を示す識別信号がシリアル信号により送信されると、レベル調整部３１０からの第２モニタ信号を選択するようにスイッチを切り替える。
【００８７】
光ピックアップ装置５００は、ＤＶＤあるいはＣＤに対する情報の記録あるいは再生を行う場合には第１レーザ光発生装置１０からＤＶＤ用レーザ光あるいはＣＤ用レーザ光を出射し、Ｂｌｕ−ｌａｙに対する情報の再生を行う場合には、第２レーザ光発生装置２０からＢｌｕ−ｒａｙ用レーザ光を出射する。そのため、モニタ信号選択部３２０には、第１モニタ信号と第２モニタ信号とが同時に入力されることはない。
【００８８】
このように、モニタ信号選択部３２０は、光ディスク４１０に対する情報の記録又は読み出しが行われている場合には第１モニタ信号を選択し、光ディスク４２０に対する情報の読み出しが行われている場合には第２モニタ信号を選択することができる。
【００８９】
信号増幅部３４０は、モニタ信号選択部３２０によって選択された第１モニタ信号または第２モニタ信号を、制御回路２５０から送信されるシリアル信号により指定される増幅率に従って増幅する。
【００９０】
信号増幅部３４０は、第１増幅部３４１、及び第２増幅部３４２を備えている。モニタ
信号選択部３２０によって選択された第１モニタ信号または第２モニタ信号は、第１増幅部３４１により増幅された後、第２増幅部３４２によりさらに増幅される。第１増幅部３４１における増幅率（第１増幅率）と、第２増幅部３４２における増幅率（第２増幅率）は、シリアル信号によってそれぞれ指定される。
【００９１】
第１増幅率は、フロントモニタ用光検出器３３０やバックモニタ用光検出器２２等の特性のばらつきを相殺するために、例えば光ピックアップ装置５００の製造時等に設定される。
【００９２】
第２増幅率は、情報を記録再生する光ディスク４００の種類（ＤＶＤ、ＣＤ、Ｂｌｕ−ｌａｙ）の違いや、情報の記録時と再生時とのレーザ光の強度の違い等、光ピックアップ装置５００の動作中に生ずるレーザ光の強度の変化に起因して生ずる第１モニタ信号及び第２モニタ信号の電流のレンジの変化を相殺するために設定される。
【００９３】
モニタ信号選択部３２０によって選択された第１モニタ信号または第２モニタ信号を第１増幅部３４１により増幅した後に、第２増幅部３４２において第２増幅率で増幅するようにすることによって、制御回路２５０に送信される第１モニタ信号及び第２モニタ信号の電流のレンジの変化量を減少させることができる。
【００９４】
これにより、フロントモニタ用光検出器３３０やバックモニタ用光検出器２２等の特性のばらつきや、光ピックアップ装置５００の動作中のレーザ光の強度変化等があっても、第１モニタ光や第２モニタ光の電流のレンジの変動を抑制できるため、制御回路２５０は、第１モニタ信号及び第２モニタ信号の受信回路を共通化することが可能となる。
【００９５】
シリアルＩ／Ｆ３４３は、制御回路２５０から送信されるシリアル信号を受信し、信号増幅部３４０での増幅率を示す情報をシリアル信号から取り出す。増幅率を示す情報には、第１増幅部３４１における増幅率と、第２増幅部３４２における増幅率とが含まれている。
【００９６】
増幅率を示す情報は、シリアル信号から例えば８ビットのデジタルデータとして取り出され、その上位４ビット（Ｓ１）により第１増幅部３４１の増幅率が指定され、下位４ビット（Ｓ２）により第２増幅部３４２の増幅率が指定される。
【００９７】
第１増幅部３４１の増幅率は、例えば４つの帰還抵抗の組み合わせにより設定される。シリアル信号に含まれる４ビットの信号Ｓ１の各ビットによって、４つの帰還抵抗にそれぞれ直列に挿入されているスイッチのオンオフが指定される。また第２増幅部３４２の増幅率は、例えば事前に１６個の値が選択可能に設定されており、４ビットの信号Ｓ２により１６のうちいずれかの増幅率が選択される。
【００９８】
このように、第１増幅部３４１及び第２増幅部３４２に分けてモニタ信号を増幅することにより、ディスクの回転速度や記録再生などにより様々な光ディスクドライブの動作状態で発生されるレーザ光に対応する第１モニタ信号及び第２モニタ信号を適切な電圧に増幅して制御回路２５０に送信することができる。また信号増幅部３４０全体として高い増幅率を実現することも可能となる。
【００９９】
信号出力部３５０は、信号増幅部３４０によって増幅されたモニタ信号を検出信号として出力する。信号出力部３５０は、第１出力回路３５１と第２出力回路３５２とを有しており、モニタ信号を非反転信号及び反転信号からなる差動信号に変換し、この差動信号を検出信号として出力する。信号出力部３５０は、非反転信号を第１伝送路Ｄ１を介して制御回路２５０に伝送し、反転信号を第２伝送路Ｄ２を介して制御回路２５０に伝送する。
【０１００】
第１出力回路３５１は、信号増幅部３４０によって増幅されたモニタ信号から非反転信号を生成し、第１伝送路Ｄ１に出力する。第２出力回路３５２は、信号増幅部３４０によって増幅されたモニタ信号から反転信号を生成し、第２伝送路Ｄ２に出力する。
【０１０１】
検出信号が第１伝送路Ｄ１及び第２伝送路Ｄ２に差動信号として出力される様子を、図３（Ａ）に示す。また比較のために、検出信号がシングルエンド信号として出力される場合の波形例を、図３（Ｂ）に示す。
【０１０２】
図３（Ａ）（Ｂ）に示すように、検出信号を差動信号として出力するようにすることにより、検出信号の電圧が０からＶに達するまでに要する時間ｔ１を、シングルエンド信号として出力する場合に要する時間ｔ２に比べ、小さくすることが可能となる。
【０１０３】
このため、レーザ出力検出回路３００と制御回路２５０との間の信号の伝送を高速化できるので、第１レーザ光発生装置１０あるいは第２レーザ光発生装置２０から出射されるレーザ光の強度のフィードバック制御を高速化することが可能となる。
【０１０４】
以上本実施形態について説明したが、本実施形態に係る光ピックアップ装置５００によれば、第１レーザ光発生装置１０から出射されたＤＶＤ用あるいはＣＤ用の波長（第１波長）の第１レーザ光の強度を示す第１モニタ信号と、第２レーザ光発生装置２０から出射された、第１波長とは異なるＢｌｕ−ｒａｙ用の第２波長の第２レーザ光の強度を示す第２モニタ信号と、を共通の伝送路により制御回路２５０に送信するようにしている。
【０１０５】
すなわち、前記第２モニタ信号をレーザ出力検出回路３００に供給し、前記第２モニタ信号を前記レーザ出力検出回路３００を経由して検出信号として出力することが可能となり、光ピックアップ装置５００と制御回路２５０との間の伝送路の数を削減することが可能となる。
【０１０６】
また、第１モニタ信号及び第２モニタ信号を共通の伝送路を介して制御回路２５０に送信するにあたり、レベル調整部３１０により第２モニタ信号を所定の増幅率で増幅することにより、第１モニタ信号の電流のレンジと第２モニタ信号の電流のレンジを合わせることができる。これにより、例えば種類の異なる光ディスク４１０、４２０に対して情報を記録あるいは再生する際に、最適なレーザ光の強度が互いに異なるような場合であっても、第１モニタ信号と第２モニタ信号とを共通の伝送路で制御回路２５０に送信するようにすることが可能となる。そして制御回路２５０は、第１モニタ信号の受信回路と第２モニタ信号の受信回路を共通化することが可能となる。
【０１０７】
また第１モニタ信号あるいは第２モニタ信号を、非反転信号及び反転信号からなる差動信号に変換したうえで、光ピックアップ装置５００から制御回路２５０に送信するようにすることにより、第１モニタ信号あるいは第２モニタ信号の制御回路２５０への伝送を高速化することが可能となる。
【０１０８】
前述した発明の実施の形態は、本発明の理解を容易にするためのものであり、本発明を限定して解釈するためのものではない。本発明は、その趣旨を逸脱することなく変更、改良され得るとともに、本発明にはその等価物も含まれる。
【符号の説明】
【０１０９】
１０    第１レーザ光発生装置
１１    ＤＶＤ用レーザダイオード
１２    ＣＤ用レーザダイオード
２０    第２レーザ光発生装置
２１    Ｂｌｕ−ｒａｙ用レーザダイオード
２２    バックモニタ用光検出器
３０    第１回折格子
４０    第２回折格子
５０    ハーフミラー
６０    偏光ビームスプリッタ
８０    コリメートレンズ
９０    １／４波長板
１００  立ち上げ用ミラー
１０１  第１立ち上げミラー
１０２  第２立ち上げミラー
１１０  レンズ保持枠
１１１  第１対物レンズ
１１２  第２対物レンズ
１２０  ＡＳ板
１３０  光検出器
１４０  収差補正用モータ
１５０  フォーカシングコイル
１６０  トラッキングコイル
１７０  収差補正用モータ駆動回路
１８０  トラッキングコイル駆動回路
１９０  フォーカシングコイル駆動回路
２００  第１レーザダイオード駆動回路
２１０  第２レーザダイオード駆動回路
２２０  トラッキングエラー信号生成回路
２３０  フォーカスエラー信号生成回路
２４０  ＲＦ信号生成回路
２５０  制御回路
２６０  コネクタ
３００  レーザ出力検出回路
３１０  レベル調整部
３２０  モニタ信号選択部
３３０  フロントモニタ用光検出器
３４０  信号増幅部
３４１  第１増幅部
３４２  第２増幅部
３４３  シリアルＩ／Ｆ
３５０  信号出力部
３５１  第１出力回路
３５２  第２出力回路
４００  光ディスク
５００  光ピックアップ装置
【図１】
2013131284.tif 000003
【図２】
2013131284.tif 000004
【図３】
2013131284.tif 000005